(57)【要約】【課題】シートを着脱可能なベビーカー本体から乳幼児を乗せた状態でシートを取り外すことを防止するベビーカーを提供することを目的とする。【解決手段】本発明のベビーカー１０は、乳幼児を乗せるシートと、前記シートを支持するベビーカー本体２０と、前記シートを前記ベビーカー本体２０に着脱可能な装着部６０及び解除部７０を備えたベビーカー１０において、  前記シート上の前記乳幼児の存否を検知する検知手段８０と、  前記検知手段８０と接続し、前記検知手段８０による前記乳幼児の存在を検知する信号に基づいて、前記ベビーカー本体２０に装着した前記シートの取り外しを防止する解除防止部９０を備えたことを特徴としている。【選択図】    図１
2019014377.tif 000002
【特許請求の範囲】
【請求項１】
乳幼児を乗せるシートと、前記シートを支持するベビーカー本体と、前記シートを前記ベビーカー本体に着脱可能な装着部及び解除部を備えたベビーカーにおいて、
前記シート上の前記乳幼児の存否を検知する検知手段と、
前記検知手段と接続し、前記検知手段による前記乳幼児の存在を検知する信号に基づいて、前記ベビーカー本体に装着した前記シートの取り外しを防止する解除防止部を備えたことを特徴とするベビーカー。
【請求項２】
前記解除防止部は、前記検知手段による前記乳幼児の不在を検知する信号に基づいて、前記ベビーカー本体に装着した前記シートの取り外しを可能とすることを特徴とする請求項１に記載のベビーカー。
【請求項３】
前記装着部は、前記ベビーカー本体のアームレストのロッドに設け、
前記解除部は、前記ロッドと嵌合する前記シートの支持部材に設け、
前記解除防止部は、前記支持部材に嵌合した前記ロッドの取り外しを阻止又は可能とすることを特徴とする請求項１又は２に記載のベビーカー。
【請求項４】
前記検知手段は、前記シートの座部に配置し前記座部との間に一部隙間を設けたベース板であり、
前記解除防止部は、
前記ロッドに設けたロック孔と
前記ロック孔と嵌合又は解除可能なロック解除防止部材と、
前記ベース板の両側面に一端を接続した索条体と、
前記索条体の他端と接続し前記ロック解除防止部材と接触して前記ロック孔に向けて前記ロック解除防止部材を進退移動させるリンク部材と、
一端を前記支持部材に固定し、他端を前記リンク部材に固定して前記索条体を引き上げる方向に付勢して前記ベース板と前記シートの底面の間に隙間を形成する弾性体と、
を備えたことを特徴とする請求項３に記載のベビーカー。
【請求項５】
前記検知手段は、圧力センサー、赤外線センサー、温度センサーのいずれかであり、
前記解除防止部は、
前記ロッドに設けたロック孔と
前記ロック孔と係合又は解除可能なロック解除防止部材と、
前記ロック解除防止部材を進退移動する駆動部を備えたことを特徴とする請求項３に記載のベビーカー。
【請求項６】
前記装着部は、前記ベビーカー本体のアームレストのロッドに設けて、前記ロッドの側面外周から進退移動する凸部を備え、
前記解除部は、前記シートの支持部材の挿入穴に設けて、前記挿入穴の底面側に設けた前記凸部が嵌る拡径部と、前記拡径部に前記凸部を嵌めたときに前記凸部と対向する箇所であって前記ロッドの直径方向に開口した開口と、前記開口から外部へ付勢された一対の解除ボタンとを備え、
前記検知手段は、前記シートの座部に配置し前記座部との間に一部隙間を設けたベース板であり、
前記解除防止部は、
前記ロッドが貫通する長孔と、前記解除ボタンと前記ロッドの間に配置して前記解除部の解除動作を阻止する突起部を備え、前記ロッドに向けて進退移動可能なロック解除防止部材と、
前記ベース板の両側面に一端を接続した索条体と、
前記索条体の他端と接続し前記ロック解除防止部材と接触して前記ロッドに向けて前記ロック解除防止部材を進退移動させるリンク部材と、
一端を前記支持部材に固定し、他端を前記リンク部材に固定して前記索条体を引き上げる方向に付勢して前記ベース板と前記シートの底面の間に隙間を形成する弾性体と、
を備えたことを特徴とする請求項１又は２に記載のベビーカー。
【請求項７】
前記シートは、乳児ベッド、幼児イス、ペット用ベッドのいずれかであることを特徴とする請求項１ないし６のいずれか１に記載のベビーカー。
【請求項８】
前記シートが前記乳児ベッドの場合において、
前記ベビーカー本体は、前記乳児ベッドの下方に前記幼児イスを取り付けていることを特徴とする請求項７に記載のベビーカー。
【発明の詳細な説明】
【技術分野】
【０００１】
本発明は、乳幼児を乗車させるベビーカーに関し、特に乳幼児を乗せるシートをベビーカー本体に着脱可能な装着部及び解除部を備えたベビーカーに関する。
【背景技術】
【０００２】
従来、乳幼児を着座又は寝かせて移動するベビーカーが広く利用されている。  乳幼児が乗るシートには、主に乳児ベッド、幼児イスがある。このベッド及びイスをベビーカー本体に着脱可能なベビーカーがあり、乳幼児の成長に合わせてシートを交換することにより長期に亘って使用することができる。
【０００３】
特許文献１に開示のベビーカーは、乳幼児の座部または寝台として機能するシートを車体に着脱可能な構成を採用している。この具体的な構造は、シートに取り付けた固定用の一対のロッドを、アーム部材の保持孔に挿入すると係止機構により自動的に固定される。一方、シートを取り外す場合には、ハンドル支持部材の解除スイッチを操作することによりロッドと保持孔の係合が解除され、取り外すことができる（段落番号０１６１参照）。
【先行技術文献】
【特許文献】
【０００４】
【特許文献１】特許第５４４２７２９号公報
【発明の概要】
【発明が解決しようとする課題】
【０００５】
近年、ベビーカーに関する乳幼児の重大事故が問題となっている。従来のシートを着脱可能なベビーカーの構造では、乳児をシートに載せた状態でもシートをベビーカー本体から取り外すことができてしまう。このため乳幼児を乗せたシートを取り外そうとする際、乳児の挙動に気を取られて不安定になり危険を伴うおそれがあった。
また、乳児をシートに載せた状態で誤って解除スイッチを操作してしまい、何らかの衝撃でシートがベビーカー本体から脱落してしまうおそれがあった。
【０００６】
そこで上記従来技術の問題点に鑑み、本発明は、シートを着脱可能なベビーカー本体から乳幼児を乗せた状態でシートを取り外すことを防止するベビーカーを提供することを目的としている。
【課題を解決するための手段】
【０００７】
上記課題を解決するための第１の手段として、本発明は、乳幼児を乗せるシートと、前記シートを支持するベビーカー本体と、前記シートを前記ベビーカー本体に着脱可能な装着部及び解除部を備えたベビーカーにおいて、
前記シート上の前記乳幼児の存否を検知する検知手段と、
前記検知手段と接続し、前記検知手段による前記乳幼児の存在を検知する信号に基づいて、前記ベビーカー本体に装着した前記シートの取り外しを防止する解除防止部を備えたことを特徴とするベビーカーを提供することにある。
上記第１の手段によれば、シートに乳幼児を乗せた状態でシートをベビーカー本体から取り外すことを防止できる。このため、ベビーカーから乳幼児が誤って転落するなどの重大事故を未然に防いで使用時の安全性を高めることができる。
【０００８】
上記課題を解決するための第２の手段として、本発明は、前記第１の手段において、前記解除防止部は、前記検知手段による前記乳幼児の不在を検知する信号に基づいて、前記ベビーカー本体に装着した前記シートの取り外しを可能とすることを特徴とする請求項１に記載のベビーカーを提供することにある。
上記第２の手段によれば、シートに乳幼児が乗車していないときは、解除防止状態を切り替えて解除部によりシートをベビーカー本体から取り外すことができる。従ってベビーカーの使い勝手が良く、かつ安全性を高めることができる。
【０００９】
上記課題を解決するための第３の手段として、本発明は、前記第１又は第２の手段において、前記装着部は、前記ベビーカー本体のアームレストのロッドに設け、
前記解除部は、前記ロッドと嵌合する前記シートの支持部材に設け、
前記解除防止部は、前記支持部材に嵌合した前記ロッドの取り外しを阻止又は可能とすることを特徴とするベビーカーを提供することにある。
上記第３の手段によれば、シートとベビーカー本体の接続箇所で、乳幼児を乗せた状態でシートをベビーカー本体から取り外すことを確実に防止できる。
【００１０】
上記課題を解決するための第４の手段として、本発明は、前記第３の手段において、前記検知手段は、前記シートの底面に配置し前記底面との間に一部隙間を設けたベース板であり、
前記解除防止部は、
前記ロッドに設けたロック孔と
前記ロック孔と嵌合又は解除可能なロック解除防止部材と、
前記ベース板の両側面に一端を接続した索条体と、
前記索条体の他端と接続し前記ロック解除防止部材と接触して前記ロック孔に向けて進退移動させるリンク部材と、
一端を前記支持部材に、他端を前記リンク部材に固定して前記索条体を引き上げる方向に付勢して前記ベース板と前記シートの底面の間に隙間を形成する弾性体と、
を備えたことを特徴とするベビーカーを提供することにある。
上記構成の第４の手段によれば、電源を用いずに半永久的にシート上の乳幼児を検知して、ベビーカー本体から乳幼児を乗せた状態でシートを取り外すことを防止することができる。
【００１１】
上記課題を解決するための第５の手段として、本発明は、前記第３の手段において、前記検知手段は、圧力センサー、赤外線センサー、温度センサーのいずれかであり、
前記解除防止部は、
前記ロッドに設けたロック孔と
前記ロック孔と係合又は解除可能なロック解除防止部材と、
前記解除防止部材を進退移動する駆動部を備えたことを特徴とするベビーカーを提供することにある。
上記構成の第５の手段によれば、シート内に取り付ける検知手段を小型化して大きな収容スペースを確保できるとともに、乳幼児に接触して不快感を与えるおそれがない。
またシート上の乳幼児を検知して、ベビーカー本体から乳幼児を乗せた状態でシートを取り外すことを防止することができる。
【００１２】
上記課題を解決するための第６の手段として、本発明は、前記第１又は第２の手段において、前記装着部は、前記ベビーカー本体のアームレストのロッドに設けて、前記ロッドの側面外周から進退移動する凸部を備え、
前記解除部は、前記シートの支持部材の挿入穴に設けて、前記挿入穴の底面側に設けた前記凸部が嵌る拡径部と、前記拡径部に前記凸部を嵌めたときに前記凸部と対向する箇所であって前記ロッドの直径方向に開口した開口と、前記開口から外部へ付勢された一対の解除ボタンとを備え、
前記検知手段は、前記シートの座部に配置し前記座部との間に一部隙間を設けたベース板であり、
前記解除防止部は、
前記ロッドが貫通する長孔と、前記解除ボタンと前記ロッドの間に配置して前記解除部の解除動作を阻止する突起部を備え、前記ロッドに向けて進退移動可能なロック解除防止部材と、
前記ベース板の両側面に一端を接続した索条体と、
前記索条体の他端と接続し前記ロック解除防止部材と接触して前記ロッドに向けて前記ロック解除防止部材を進退移動させるリンク部材と、
一端を前記支持部材に固定し、他端を前記リンク部材に固定して前記索条体を引き上げる方向に付勢して前記ベース板と前記シートの底面の間に隙間を形成する弾性体と、
を備えたことを特徴とするベビーカーを提供することにある。
上記第６の手段によれば、電源を用いずに半永久的にシート上の乳幼児を検知して、ベビーカー本体から乳幼児を乗せた状態でシートを取り外すことを防止することができる。
【００１３】
上記課題を解決するための第７の手段として、第１ないし第６のいずれか１に記載の手段において、前記シートは、乳児ベッド、幼児イス、ペット用ベッドのいずれかであることを特徴とするベビーカーを提供することにある。
上記構成の第７の手段によれば、乳幼児の成長に合わせてシートとなる乳児ベッド又は幼児イスのうちいずれかを選択することができ、またペット用ベッドを選択すればペットカートとして１台のベビーカーで長期に亘って安全に使用できる。
【００１４】
上記課題を解決するための第８の手段として、本発明は、前記第７の手段において、前記シートが前記乳児ベッドの場合において、
前記ベビーカー本体は、前記シートの下方に前記幼児イスを取り付けていることを特徴とするベビーカーを提供することにある。
上記第８の手段によれば、乳幼児の成長に合わせてシートとなる乳児ベッド又は幼児イスのうちいずれかを選択することができ、１台のベビーカーで長期に亘って安全に使用できる。
【発明の効果】
【００１５】
本発明のベビーカーによれば、シートに乳幼児を乗せたままシートをベビーカー本体から取り外すことを防止でき、ベビーカー使用時の安全性を高めることができる。
【図面の簡単な説明】
【００１６】
【図１】解除防止部の説明図である。
【図２】ロック解除防止部材の説明図である。
【図３】ロック孔の説明図である。
【図４】検知手段の説明図である。
【図５】乳児ベッドを装着するベビーカーの説明図である。
【図６】装着部及び解除部の説明図である。
【図７】幼児イスを備えたベビーカーの説明図である。
【図８】乳児ベッド及び幼児イスを備えたベビーカーの説明図である。
【図９】ベビーカーの変形例１の説明図である。
【図１０】ベビーカーの変形例２の説明図である。
【発明を実施するための形態】
【００１７】
本発明のベビーカーの実施形態を添付の図面を参照しながら、以下詳細に説明する。
【００１８】
［ベビーカー１０］
図５は乳児ベッドを装着するベビーカーの説明図である。図６は装着部及び解除部の説明図である。本発明のベビーカー１０は、乳幼児を乗せるシートと、シートを支持するベビーカー本体２０と、シートをベビーカー本体２０に装着する装着部６０及びシートを取り外す解除部７０と、シート上の乳幼児の有無を検知する検知手段８０（図４参照）と、検知手段８０と接続し、検知手段８０による乳幼児の存在を検知する信号に基づいて、ベビーカー本体２０に装着したシートの取り外しを防止する解除防止部９０（図１参照）を主な基本構成としている。シートは乳児ベッド５０又は／及び幼児イス４０を用いることができる。
なお本実施形態中の前・後・左・右とは、ベビーカーのハンドルを胸元に近づけたときの使用者を基準とした前・後・左・右と同一である。
【００１９】
［ベビーカー本体２０］
ベビーカー本体２０は、前脚２２と、後脚２４と、アームレスト２６をそれぞれ左右に一対配置して、さらにハンドル２８を備えている。
前脚２２は下端に前輪２２ａを備え、上端を後脚２４側へ湾曲させて後脚２４の上端付近に回動可能に接続している。
後脚２４は下端に後輪２４ａを備え、上端がアームレスト２６と回動可能に接続している。
【００２０】
アームレスト２６は、前脚２２および後脚２４の上端を覆い、後端がハンドル２８と回動可能に接続した部材である。アームレスト２６の上面側は緩やかな湾曲形状に形成し、後脚２４が接続する箇所の上方にロッド２６１を設けている。ロッド２６１は、後述するシートの支持部材５４の挿入穴５４１と嵌合する。
ハンドル２８は、一対の直線部２８ａと直線部２８ａを連結する中間部２８ｂからなり、ほぼＵ字状に形成されている。ハンドル２８は側面視で上端の中間部２８ｂ側を後方へ湾曲させている。
【００２１】
［乳児ベッド５０］
シートとなる乳児ベッド５０は、フレーム５１と、生地５３と、支持部材５４と、座部（底面）５６からなり、主に乳児のベッドとして機能する（図４参照）。支持部材５４の底面にはアームレスト２６のロッド２６１を挿入可能な挿入穴５４１を設けている（図６参照）。
【００２２】
［装着部６０］
装着部６０は、一対のアームレスト２６の上面から上方へ突出した円筒状のロッド２６１の外周に取り付けている。装着部６０はロッド２６１の上端側に水平方向（直径方向）に貫通した孔２６２と、ロッド２６１の中空内部から２つの孔２６２を介して外部に延出する一対の凸部６２と、ロッド２６１の中空内部に設けたＵ字板ばね６４を主な基本構成としている。
【００２３】
Ｕ字板ばね６４は湾曲部と一対の直線部からなり、対向する直線部は間の湾曲部によって互いに離れるように付勢されている。直線部の両端側にはそれぞれ一対の凸部６２の中空側端部と接続している。乳児ベッド５０の一対の支持部材５４の底面の挿入穴５４１の底面側には後述する解除部７０の拡径部７２が形成されている。この拡径部７２は挿入穴５４１の穴径よりも拡径しており、挿入孔５４１にロッド２６１を挿入した後、凸部６２と対向する箇所に設けている。このような構成の装着部６０は、凸部６２がＵ字板ばね６４によって孔２６２から外部へ突出するように付勢されているため、ロッド２６１を挿入孔５４１に挿入して底面側の拡径部７２に到達すると、Ｕ字板ばね６４が開いて凸部６２が拡径部７２と嵌合して固定される。これにより乳児ベッド５０をベビーカー本体２０に装着できる（図６（１）参照）。
【００２４】
［解除部７０］
解除部７０は、シートの一対の支持部材５４の下端に設けている。解除部７０は、シートの一対の支持部材５４の挿入穴５４１の底面側に形成した拡径部７２と、拡径部７２に凸部６２を嵌めたときに凸部６２と対向する箇所であって直径方向に開口した開口７４と、この開口７４から外部へ付勢された一対の解除ボタン７６を主な基本構成としている。
【００２５】
このような構成の解除部７０は、ロッド２６１を挿入穴５４１に挿入した装着状態のとき、同一平面上の凸部６２は解除ボタン７６の内側に配置されている。そして解除ボタン７６を拡径部７２の中心に向けて押し込むと、装着部６０の凸部６２に当たり、さらに押し込むと凸部６２も中心側に押された状態となる。この状態でロッド２６１から挿入穴５４１を引き抜くことにより、乳児ベッド５０をベビーカー本体２０から取り外す（解除する）ことができる（図６（２）参照）。
【００２６】
［検知手段８０］
図４は検知手段の説明図であり、（１）は斜視図、（２）は乳幼児が乗車していない（不在）ときの側面図、（３）は乳幼児が乗車している（存在）ときの側面図である。図４に示す検知手段８０は、乳児ベッド５０の座部５６に配置したベース板８２である。このベース板８２は複数に分割（図４に示すベース板８２は３分割）して互いに折り畳み可能に連結してほぼ座部５６の形状に形成している。そして一対の支持部材５４に最も近いベース板８２の折り目にはベルト、ワイヤーなどの後述する解除防止部９０の索条体９４の一端を連結している。
【００２７】
［解除防止部９０］
図１は解除防止部の説明図であり、（１）は解除防止前（乳幼児がシートに乗車していないとき）の断面図、（２）は（１）のＡ−Ａ矢視図、（３）は解除防止時（乳幼児がシートに乗車しているとき）の断面図、（４）は（３）のＢ−Ｂ矢視図である。図２はロック解除防止部材の説明図である。図３はロック孔の説明図である。
解除防止部９０は、ロック孔９１と、ロック解除防止部材９２と、索条体９４と、リンク部材９６と、弾性体９８からなる。
ロック孔９１は、アームレスト２６のロッド２６１に設けている。より具体的なロック孔９１の構成は、直線上に配置された凸部６２と同一平面上の外周面に設けた水平方向に延びる長孔である。ロック孔９１は後述するロック解除防止部材９２の係合片９２２が嵌り、嵌合すると挿入穴５４１からのロッド２６１の引き抜きが阻止される。
ロック解除防止部材９２は、ロッド２６１が貫通する貫通孔９２１と、貫通孔９２１の一部から中心に向けて延出し前記ロック孔９１と嵌合可能な係合片９２２と、後述するリンク部材９６の外溝９６２に嵌め合わせて摺動可能なスライダ９２３を備えている。
【００２８】
索条体９４は、一端がベース板８２の側部に連結し、他端が支持部材５４の内部に取り付けたリンク部材９６に連結している。索条体９４は所定の剛性を備えたベルト、紐、ワイヤー等を用いることができる。
リンク部材９６は支持部材５４の内部でロック解除防止部材９２と接触するとともに上下方向に移動可能とし、後述する弾性体９８により下方から上方へ付勢されている。このリンク部材９６は、中間部分に下方（縮径）から上方（拡径）に向けて直径が大きくなるテーパ部９６１を設けてある。テーパ部９６１は、外側に前述の外溝９６２を形成してロック解除防止部材９２のスライダ９２３が摺動しており、リンク部材９６が上下移動すると、テーパ部９６１の傾斜（外溝９６２の傾斜）に倣ってロック解除防止部材９２がロッド２６１に向けて進退移動する。
弾性体９８は、所定の弾力性を有する部材であり、本実施形態ではコイルばねを用いている。弾性体９８は、一端が支持部材５４に接続し、他端がリンク部材９６に接続し、支持部材５４中のリンク部材９６を上方向に付勢（引き上げ）している。この弾性体９８によりベース板８２は、乳児ベッド５０の座部５６との間に隙間ができるように上方に持ち上げられている。
【００２９】
［幼児イス４０］
図７は幼児イスを備えたベビーカーの説明図であり（１）は幼児イスの斜視図、（２）は全体斜視図である。図７に示すベビーカー１０Ａのベビーカー本体２０に着脱可能なシートは、幼児イス４０である。幼児イス４０は、フレーム４２と、座部４４と、背部４６からなり、所定の強度及び柔軟性を備え、主に幼児の座部として機能する。フレーム４２の中間部分には一対の支持部材５４を取り付けている。支持部材５４は、前述の図５、６に示す構造と同一である。また座部４４の上には検知手段８０のベース板８２を取り付けている。
このような構成の幼児イス４０は、乳児ベッド５０と同様、ベビーカー本体２０に装着部６０及び解除部７０を介して着脱可能に構成している。
【００３０】
［乳児ベッド及び幼児イスを備えたベビーカー］
図８は乳児ベッド及び幼児イスを備えたベビーカーの説明図である。図８に示すベビーカー１０Ｂはベビーカー本体２０に幼児イス４０が取り付けてあり、乳児ベッド５０を着脱可能な構成を採用している。
なお、幼児イス４０の背部はベビーカー本体２０との接続箇所に回転部を備え、任意角度に調整可能とし、乳児ベッド５０を取り外した後、座部（不図示）をベビーカー本体２０に取り付け可能な構成を採用している。
このような構成のベビーカー１０Ｂは、乳幼児の成長に合わせてシートとなる乳児ベッド５０又は幼児イス４０のうちいずれかを選択することができ、１台のベビーカー１０Ｂで長期に亘って安全に使用できる。
【００３１】
［作用］
上記構成による本発明のベビーカーの作用について以下説明する。
（乳幼児がシート上に乗車していないとき）
解除防止部９０の弾性体９８により、ベース板８２が座部５６（４４）から離間する方向に付勢されているため、検知手段８０となるベース板８２と座部５６（４４）の間に隙間が形成されている。乳幼児がシート上に乗車していない（不在）ときは、この隙間が維持された状態となる。解除防止部９０の係合片９２２がロック孔９１に嵌合していない。このため解除部７０によるシートの取り外し動作を行うことができる。
（乳幼児がシート上に乗車しているとき）
検知手段８０となるベース板８２上に乳幼児が乗車するとベース板８２と座部５６（４４）の間の隙間がなくなり、ベース板８２に接続した索条体９４が弾性体９８の付勢方向と反対方向に引っ張られる。索条体９４に接続したリンク部材９６が下方へ移動して、テーパ部９６１の縮径から拡径にスライダ９２３が移動してロック解除防止部材９２がロック孔９１に向けて前進して係合片９２２が嵌め合わさる。これにより、支持部材５４の挿入穴５４１からロッド２６１を引き抜くことができず、解除部７０によるシートの取り外し動作を防止できる。
なお本発明のベビーカーは、ベビーカー本体に着脱可能なシートとして乳児ベッドの代わりにペット用ベッドを適用すればペットカートとして使用できる。ペット用ベッドは乳児ベッドと同様な着脱構造であり、乳児ベッドと同一の支持部材及び検知手段を用いることにより、シートにペットを乗せたままシートをベビーカー本体から取り外すことを防止できる。従ってペット用ベビーカー又はペットカートの使用時の安全性を高めることができる。
【００３２】
［変形例１］電気式検知手段
図９はベビーカーの変形例１の説明図であり、（１）は検知手段の説明図、（２）は解除防止部の説明図である。変形例１の検知手段８０Ａは、シート上の乳幼児を検出可能なセンサーを採用している。
具体的な検出手段８０Ａは、乳幼児の体重を検出可能な圧力センサー、乳幼児を検知可能な赤外線センサー、乳幼児の体温を検出可能な温度センサーのいずれか１つ、又は２つ以上を組み合わせた構成である。センサーはシート内に取り付けて、乳幼児の存否（乗車又は乗車していない）を確認できるように構成している。
また解除防止部９０Ａはロック解除防止部材９２Ａと駆動部９９を備えている。ロック解除防止部材９２Ａは、主面を水平に配置してロッド２６１のロック孔９１に向けて進退移動して、先端が孔に嵌る部材である。
駆動部９９は検出手段８０Ａとなるセンサーと無線又は有線を介して電気的に接続している。駆動部９９は検出手段８０Ａの測定値に基づいて、ロック解除防止部材９２Ａの進退移動を制御している。具体的な駆動部９９の制御は、検出手段８０Ａによる乳幼児存在の検知信号を受信した場合、ロック解除防止部材９２Ａをロック孔９１に向けて伸長して嵌合する。これにより挿入穴５４１からロッド２６１の引き抜きが阻止される。
一方、検出手段８０Ａによる乳幼児不在の検知信号を受信した場合、ロック解除防止部材９２Ａをロック孔９１から後退させて嵌合を解除する。これにより、挿入穴５４１からロッド２６１を解除部７０により引き抜くことができる。
【００３３】
このような変形例１のベビーカーによれば、シート内に取り付ける検知手段を小型化して大きな収容スペースを確保できるとともに、乳幼児に接触して不快感を与えるおそれがない。
またシート上の乳幼児を検知して、ベビーカー本体から乳幼児を乗せた状態でシートを取り外すことを防止することができる。
【００３４】
［変形例２］装着部と解除部の間の解除防止部
図１０はベビーカーの変形例２の説明図であり、（１）はロック解除防止部材の斜視図、（２）は解除防止操作の説明図である。変形例２の解除防止部９０Ｂは、解除部によるシートの取り外しを阻止する構成を採用している。
具体的な解除防止部９０Ｂの構成は、ロッド２６１が貫通する長孔９２４と、解除ボタン７６とロッド２６１の間に配置して解除部７０の解除動作を阻止する突起部９２５を備えてロッド２６１に向けて進退移動可能なロック解除防止部材９２Ｂと、ベース板８２の両側面に一端を接続した索条体９４（以下、図１の構成と同じ）と、索条体９４の他端と接続しロック解除防止部材９２Ｂと接触してロッド２６１に向けてロック解除防止部材９２Ｂを進退移動させるリンク部材９６と、一端を支持部材５４に固定し、他端をリンク部材９６に固定して索条体９４を引き上げる方向に付勢してベース板８２とシートの底面の間に隙間を形成する弾性体９８からなる。
【００３５】
このような構成の解除防止部９０Ｂは、乳児が乗車していない（不在）ときロッド２６１と解除ボタン７６の間に突起部９２５が配置されていないため、解除部７０によるシートをベビーカー本体２０から取り外す操作が可能となる。
一方、乳児が乗車している（存在）とき、ロック解除防止部材９２Ｂの進出動作によりロッド２６１と解除ボタン７６の間に突起部９２５が配置される。このため、解除部７０によるシートをベビーカー本体２０から取り外す操作が阻止される。
このような変形例２のベビーカーによれば、電源を用いずに半永久的にシート上の乳幼児を検知して、ベビーカー本体から乳幼児を乗せた状態でシートを取り外すことを防止することができる。
【産業上の利用可能性】
【００３６】
本発明は、特に乳幼児を対象としたベビーカーなどの車両分野において産業上の利用可能性を有する。
【符号の説明】
【００３７】
１０，１０Ａ，１０Ｂ………ベビーカー、
２０………ベビーカー本体、２２………前脚、２２ａ………前輪、２４………後脚、２４ａ………後輪、２６………アームレスト、２６１………ロッド、２８………ハンドル、２８ａ………直線部、２８ｂ………中間部、
４０………幼児イス、４２………フレーム、４４………座部、４６………背部、
５０………乳児ベッド、５１………フレーム、５３………生地、５４………支持部材、５４１………挿入穴、５６………座部、
６０………装着部、６２………凸部、６４………Ｕ字板ばね、
７０………解除部、７２………拡径部、７４………開口、７６………解除ボタン、
８０，８０Ａ………検知手段、８２………ベース板、
９０，９０Ａ，９０Ｂ………解除防止部、９１………ロック孔、９２，９２Ａ，９２Ｂ………ロック解除防止部材、９２１………貫通孔、９２２………係合片、９２３………スライダ、９２４………長孔、９２５………突起部、９４………索条体、９６………リンク部材、９６１………テーパ部、９６２………外溝、９８………弾性体、９８１………係合片。
【図１】
2019014377.tif 000003
【図２】
2019014377.tif 000004
【図３】
2019014377.tif 000005
【図４】
2019014377.tif 000006
【図５】
2019014377.tif 000007
【図６】
2019014377.tif 000008
【図７】
2019014377.tif 000009
【図８】
2019014377.tif 000010
【図９】
2019014377.tif 000011
【図１０】
2019014377.tif 000012